(57)【要約】【課題】ＣＡを行っている移動局ＵＥに対して測定ギャップを設定する。【解決手段】本発明に係る移動通信方法は、移動局ＵＥが、無線基地局ｅＮＢとの間で、搬送波周波数が異なる複数のＣＣを用いた通信（ＣＡ）を開始する工程と、無線基地局ｅＮＢが、移動局ＵＥに対して、所定ＣＣと所定測定ギャップとの組み合わせを含む「ＭｅａｓＣｏｎｆｉｇ」を送信する工程と、移動局ＵＥが、所定ＣＣにおける所定測定ギャップにおいて、測定対象の周波数における測定を行う工程とを有することを要旨とする。【選択図】図６
2011166387.tif 000002
【特許請求の範囲】
【請求項１】
移動局が、無線基地局との間で、搬送波周波数が異なる複数のキャリアを用いた通信を開始する工程と、
前記無線基地局が、前記移動局に対して、所定キャリアと所定測定ギャップとの組み合わせを含む測定構成情報を送信する工程と、
前記移動局が、前記所定キャリアにおける前記所定測定ギャップにおいて、測定対象の周波数における測定を行う工程とを有することを特徴とする移動通信方法。
【請求項２】
無線基地局であって、
移動局が、前記無線基地局との間で、搬送波周波数が異なる複数のキャリアを用いた通信を行っている場合に、該移動局に対して、所定キャリアと所定測定ギャップとの組み合わせを含む測定構成情報を送信するように構成されている送信部を具備することを特徴とする無線基地局。
【請求項３】
移動局であって、
無線基地局との間で、搬送波周波数が異なる複数のキャリアを用いた通信を行っている場合で、かつ、該無線基地局から、所定キャリアと所定測定ギャップとの組み合わせを含む測定構成情報を受信した場合に、該所定キャリアにおける該所定測定ギャップにおいて、測定対象の周波数における測定を行うように構成されている測定部を具備することを特徴とする移動局。
【発明の詳細な説明】
【技術分野】
【０００１】
本発明は、移動通信方法、無線基地局及び移動局に関する。
【背景技術】
【０００２】
３ＧＰＰで仕様化が進められているＬＴＥ（Ｌｏｎｇ  Ｔｅｒｍ  Ｅｖｏｌｕｔｉｏｎ）方式（Ｒｅｌ.８）では、図１２に示すように、搬送周波数Ｆ１のキャリアを用いて通信を行っている移動局ＵＥは、搬送周波数Ｆ１のキャリアにおける測定ギャップ（Ｍｅａｓｕｒｅｍｅｎｔ  Ｇａｐ）において、測定対象の周波数Ｆ２における測定（Ｍｅａｓｕｒｅｍｅｎｔ）を行うように構成されている。
【０００３】
ここで、かかる測定ギャップは、無線基地局ｅＮＢによって送信される「ＭｅａｓＣｏｎｆｉｇ」内の情報要素「ＭｅａｓＧａｐＣｏｎｆｉｇ」によって指定される。
【０００４】
また、３ＧＰＰで仕様化が進められているＬＴＥ-Ａｄｖａｎｃｅｄ方式では、「ＣＡ（Ｃａｒｒｉｅｒ  Ａｇｇｒｅｇａｔｉｏｎ）」についての検討が進められている。
【０００５】
ＣＡを行っている移動局ＵＥは、無線基地局ｅＮＢとの間で、搬送波周波数が異なる複数の「Ｃｏｍｐｏｎｅｎｔ  Ｃａｒｒｉｅｒ（ＣＣ）」を用いて通信を行うように構成されている。
【先行技術文献】
【非特許文献】
【０００６】
【非特許文献１】３ＧＰＰ  ＴＳ３６.３３１
【発明の概要】
【発明が解決しようとする課題】
【０００７】
しかしながら、既存のＬＴＥ方式では、移動局ＵＥが、ＣＡを行っている場合、無線基地局ｅＮＢは、既存の「ＭｅａｓＧａｐＣｏｎｆｉｇ」によって、移動局ＵＥによって用いられている複数のＣＣのうち、どのＣＣにおいて測定ギャップを設定するべきであるか指定することができないという問題点があった。
【０００８】
そこで、本発明は、上述の課題に鑑みてなされたものであり、ＣＡを行っている移動局ＵＥに対しても測定ギャップを設定することができる移動通信方法、無線基地局及び移動局を提供することを目的とする。
【課題を解決するための手段】
【０００９】
本発明の第１の特徴は、移動通信方法であって、移動局が、無線基地局との間で、搬送波周波数が異なる複数のキャリアを用いた通信を開始する工程と、前記無線基地局が、前記移動局に対して、所定キャリアと所定測定ギャップとの組み合わせを含む測定構成情報を送信する工程と、前記移動局が、前記所定キャリアにおける前記所定測定ギャップにおいて、測定対象の周波数における測定を行う工程とを有することを要旨とする。
【００１０】
本発明の第２の特徴は、無線基地局であって、移動局が、前記無線基地局との間で、搬送波周波数が異なる複数のキャリアを用いた通信を行っている場合に、該移動局に対して、所定キャリアと所定測定ギャップとの組み合わせを含む測定構成情報を送信するように構成されている送信部を具備することを要旨とする。
【００１１】
本発明の第３の特徴は、移動局であって、無線基地局との間で、搬送波周波数が異なる複数のキャリアを用いた通信を行っている場合で、かつ、該無線基地局から、所定キャリアと所定測定ギャップとの組み合わせを含む測定構成情報を受信した場合に、該所定キャリアにおける該所定測定ギャップにおいて、測定対象の周波数における測定を行うように構成されている測定部を具備することを要旨とする。
【発明の効果】
【００１２】
以上説明したように、本発明によれば、ＣＡを行っている移動局ＵＥに対しても測定ギャップを設定することができる移動通信方法、無線基地局及び移動局を提供することができる。
【図面の簡単な説明】
【００１３】
【図１】本発明の第１の実施形態に係る移動通信システムの全体構成図である。
【図２】本発明の第１の実施形態に係る移動通信システムで行われるＣＡについて説明するための図である。
【図３】本発明の第１の実施形態に係る無線基地局の機能ブロック図である。
【図４】本発明の第１の実施形態に係る無線基地局ｅＮＢによって送信される「ＭｅａｓＣｏｎｆｉｇ」に含まれる情報要素の一例を示す図である。
【図５】本発明の第１の実施形態に係る無線基地局ｅＮＢによって送信される「ＭｅａｓＣｏｎｆｉｇ」内の「ＭｅａｓＧａｐＣｏｎｆｉｇ」に含まれる情報要素の一例を示す図である。
【図６】本発明の第１の実施形態に係る無線基地局ｅＮＢによって送信される「ＭｅａｓＣｏｎｆｉｇ」内の「ＭｅａｓＧａｐＣｏｎｆｉｇＬｉｓｔ-ｒ１０」に含まれる情報要素の一例を示す図である。
【図７】本発明の第１の実施形態に係る移動局の機能ブロック図である。
【図８】本発明の第１の実施形態に係る移動局によって行われるｉｎｔｅｒ-Ｆ/ＲＡＴ測定の一例について説明するための図である。
【図９】本発明の第１の実施形態に係る移動局によって行われるｉｎｔｅｒ-Ｆ/ＲＡＴ測定の一例について説明するための図である。
【図１０】本発明の第１の実施形態に係る移動局によって行われるｉｎｔｅｒ-Ｆ/ＲＡＴ測定の一例について説明するための図である。
【図１１】本発明の第１の実施形態に係る移動局の動作を説明するためのフローチャートである。
【図１２】従来の移動局によって行われるｉｎｔｅｒ-Ｆ/ＲＡＴ測定の一例について説明するための図である。
【発明を実施するための形態】
【００１４】
（本発明の第１の実施形態に係る移動通信システムの構成）
図１乃至図１０を参照して、本発明の第１の実施形態に係る移動通信システムの構成について説明する。本実施形態に係る移動通信システムは、ＬＴＥ-Ａｄｖａｎｃｅｄ方式の移動通信システムである。
【００１５】
図１に示すように、本実施形態に係る移動通信システムでは、移動局ＵＥは、無線基地局ｅＮＢに対して、ＰＵＣＣＨ（Ｐｈｙｓｉｃａｌ  Ｕｐｌｉｎｋ  Ｃｏｎｔｒｏｌ  Ｃｈａｎｎｅｌ、物理上りリンク制御チャネル）を介して制御信号を送信し、ＰＵＳＣＨ（Ｐｈｙｓｉｃａｌ  Ｕｐｌｉｎｋ  Ｃｏｎｔｒｏｌ  Ｃｈａｎｎｅｌ、物理上りリンク共有チャネル）を介してデータ信号を送信するように構成されている。
【００１６】
また、本実施形態に係る移動通信システムでは、無線基地局ｅＮＢは、移動局ＵＥに対して、ＰＤＣＣＨ（Ｐｈｙｓｉｃａｌ  Ｄｏｗｎｌｉｎｋ  Ｃｏｎｔｒｏｌ  Ｃｈａｎｎｅｌ、物理下りリンク制御チャネル）を介して制御信号を送信し、ＰＤＳＣＨ（Ｐｈｙｓｉｃａｌ  Ｄｏｗｎｌｉｎｋ  Ｃｏｎｔｒｏｌ  Ｃｈａｎｎｅｌ、物理下りリンク共有チャネル）を介してデータ信号を送信するように構成されている。
【００１７】
また、図２に示すように、本実施形態に係る移動通信システムでは、搬送周波数Ｆ１乃至Ｆ５の複数のＣＣが用いられるように構成されている。ここで、本実施形態に係る移動通信システムでは、移動局ＵＥは、所定数のＣＣ（図２の例では、例えば、搬送周波数Ｆ１乃至Ｆ３の３つのＣＣ）を用いたＣＡを行うことができる。
【００１８】
図３に示すように、無線基地局ｅＮＢは、送信部１１と、受信部１２と、制御部１３とを具備している。
【００１９】
送信部１１は、移動局ＵＥに対して、ＰＤＳＣＨを介して、ＲＲＣ（Ｒａｄｉｏ  Ｒｅｓｏｕｒｃｅ  Ｃｏｎｔｒｏｌ）情報要素として、「ＭｅａｓＣｏｎｆｉｇ」を送信するように構成されている。
【００２０】
図４に、かかる「ＭｅａｓＣｏｎｆｉｇ」に含まれる情報要素の一例を示す。
【００２１】
ここで、送信部１１は、情報要素「ＭｅａｓＯｂｊｅｃｔＴｏＲｅｍｏｖｅＬｉｓｔ」及び「ＭｅａｓＯｂｊｅｃｔＴｏＡｄｄＭｏｄＬｉｓｔ」によって、移動局ＵＥにおける測定対象の周波数を指定するように構成されている。
【００２２】
また、送信部１１は、情報要素「ＲｅｐｏｒｔＣｏｎｆｉｇＴｏＲｅｍｏｖｅＬｉｓｔ」や「ＲｅｐｏｒｔＣｏｎｆｉｇＴｏＡｄｄＭｏｄＬｉｓｔ」によって、移動局ＵＥにおける測定報告（Ｍｅａｓｕｒｅｍｅｎｔ  Ｒｅｐｏｒｔ）の送信条件を指定するように構成されている。
【００２３】
また、送信部１１は、ＬＴＥ方式（Ｒｅｌ.８/Ｒｅｌ.９）に対応している移動局ＵＥに対して、情報要素「ＭｅａｓＧａｐＣｏｎｆｉｇ（図４に示すＡ）」によって、移動局ＵＥにおいて設定すべき測定ギャップを指定するように構成されている。
【００２４】
具体的には、送信部１１は、図５に示すように、「ＭｅａｓＧａｐＣｏｎｆｉｇ」内の情報要素「ｇａｐＯｆｆｓｅｔ」に「ｇｐ０」又は「ｇｐ１」のいずれかを設定するように構成されている。
【００２５】
ここで、「ｇａｐＯｆｆｓｅｔ」に「ｇｐ０」が設定されている場合、測定ギャップの周期は「４０ｍｓ」となり、測定ギャップの開始位置は「ＩＮＴＥＧＥＲ」に設定されている値（０〜３９）によって特定されるサブフレームとなる。
【００２６】
一方、「ｇａｐＯｆｆｓｅｔ」に「ｇｐ１」が設定されている場合、測定ギャップの周期は「８０ｍｓ」となり、測定ギャップの開始位置は「ＩＮＴＥＧＥＲ」に設定されている値（０〜７９）によって特定されるサブフレームとなる。
【００２７】
なお、ＬＴＥ方式（Ｒｅｌ.８/Ｒｅｌ.９）に対応している移動局ＵＥは、ＣＡに対応していないため、すなわち、複数のＣＣを用いて通信を行うことができないため、無線基地局ｅＮＢは、「ＭｅａｓＧａｐＣｏｎｆｉｇ」において、測定ギャップを設定すべきＣＣを特定する必要がない。
【００２８】
これに対して、送信部１１は、ＬＴＥ方式（Ｒｅｌ.１０）に対応している移動局ＵＥに対して、情報要素「ＭｅａｓＧａｐＣｏｎｆｉｇＬｉｓｔ-ｒ１０（図４に示すＢ）」によって、移動局ＵＥにおいて設定すべき測定ギャップを指定するように構成されている。
【００２９】
ここで、ＬＴＥ方式（Ｒｅｌ.１０）に対応している移動局ＵＥが、ＣＡを行っている場合にのみ、送信部１１は、「ＭｅａｓＧａｐＣｏｎｆｉｇＬｉｓｔ-ｒ１０（図４に示すＢ）」によって、移動局ＵＥにおいて設定すべき測定ギャップを指定するように構成されていてもよい。
【００３０】
すなわち、ＬＴＥ方式（Ｒｅｌ.１０）に対応している移動局ＵＥが、ＣＡを行っていない場合には、送信部１１は、「ＭｅａｓＧａｐＣｏｎｆｉｇ（図４に示すＡ）」によって、移動局ＵＥにおいて設定すべき測定ギャップを指定するように構成されていてもよい。
【００３１】
具体的には、送信部１１は、図６に示すように、「ＭｅａｓＧａｐＣｏｎｆｉｇＬｉｓｔ-ｒ１０」内の情報要素「ｃｃ-ｉｄ」に、測定ギャップを設定すべきＣＣの識別情報を指定するように構成されている。
【００３２】
なお、「ＭｅａｓＧａｐＣｏｎｆｉｇＬｉｓｔ-ｒ１０」に設定される情報要素「ＭｅａｓＧａｐＣｏｎｆｉｇ」は、図５に示す情報要素「ＭｅａｓＧａｐＣｏｎｆｉｇ」と同一である。
【００３３】
したがって、送信部１１は、「ＭｅａｓＧａｐＣｏｎｆｉｇＬｉｓｔ-ｒ１０」内の情報要素「ｃｃ-ｉｄ」及び「ＭｅａｓＧａｐＣｏｎｆｉｇ」によって、ＣＣと測定ギャップ（周期及び開始位置）との組み合わせを指定することによって、移動局ＵＥにおいて設定すべき測定ギャップを指定することができる。
【００３４】
なお、図６の例では、「ＭｅａｓＧａｐＣｏｎｆｉｇＬｉｓｔ-ｒ１０」には、最大で８個のＣＣと測定ギャップ（周期及び開始位置）との組み合わせが設定可である。
【００３５】
また、「ＭｅａｓＧａｐＣｏｎｆｉｇＬｉｓｔ-ｒ１０」で指定される「ＭｅａｓＧａｐＣｏｎｆｉｇ」は、複数のＣＣで共通であってもよい。すなわち、同じ測定ギャップの周期と開始位置が、複数のＣＣに共通に適用されてもよい。また、測定ギャップの開始位置が、ＣＣごとに固定的にずれるように構成されていてもよい。
【００３６】
受信部１２は、移動局ＵＥによって送信された「Ｍｅａｓｕｒｅｍｅｎｔ  Ｒｅｐｏｒｔ」を受信するように構成されている。
【００３７】
制御部１３は、受信部１２によって受信された「Ｍｅａｓｕｒｅｍｅｎｔ  Ｒｅｐｏｒｔ」に基づいて、移動局ＵＥがハンドオーバすべきであるか否かについて判定するように構成されている。
【００３８】
また、制御部１３は、送信部１１に対して、移動局ＵＥがＬＴＥ方式（Ｒｅｌ.１０）に対応しているか否かについて、或いは、移動局ＵＥがＣＡを行っているか否かについて通知するように構成されている。
【００３９】
図７に示すように、移動局ＵＥは、受信部２１と、測定部２２と、送信部２３とを具備している。
【００４０】
受信部２１は、無線基地局ｅＮＢによって送信された「ＭｅａｓＣｏｎｆｉｇ」を受信するように構成されている。
【００４１】
測定部２２は、無線基地局ｅＮＢによって送信された「ＭｅａｓＣｏｎｆｉｇ」に基づいて、無線基地局ｅＮＢによって指定された測定（Ｍｅａｓｕｒｅｍｅｎｔ）を行うように構成されている。
【００４２】
具体的には、測定部２２は、「ＭｅａｓＣｏｎｆｉｇ」によって指定された測定ギャップにおいて、「ＭｅａｓＣｏｎｆｉｇ」によって指定された測定対象の周波数における測定を行うように構成されている。
【００４３】
例えば、移動局ＵＥが、搬送周波数Ｆ１乃至Ｆ３のキャリアを用いたＣＡを行っている場合に、「ＭｅａｓＣｏｎｆｉｇ」によって測定対象の周波数として「Ｆ４」が指定され、「ＭｅａｓＣｏｎｆｉｇ」によって搬送周波数Ｆ２のＣＣにおいて測定ギャップを設定すべきであると指定された場合（すなわち、「ＭｅａｓＧａｐＣｏｎｆｉｇＬｉｓｔ-ｒ１０」内に「ｃｃ-ｉｄ＝Ｆ２」が設定されている場合）には、測定部２２は、図８に示すように、搬送周波数Ｆ２のＣＣにおける測定ギャップにおいて、周波数Ｆ４における測定を行うように構成されている。
【００４４】
また、移動局ＵＥが、搬送周波数Ｆ１乃至Ｆ３のキャリアを用いたＣＡを行っている場合に、「ＭｅａｓＣｏｎｆｉｇ」によって測定対象の周波数として「Ｆ４」及び「Ｆ５」が指定され、「ＭｅａｓＣｏｎｆｉｇ」によって搬送周波数Ｆ２のＣＣにおいて測定ギャップを設定すべきであると指定された場合（すなわち、「ＭｅａｓＧａｐＣｏｎｆｉｇＬｉｓｔ-ｒ１０」内に「ｃｃ-ｉｄ＝Ｆ２」が設定されている場合）には、測定部２２は、図９に示すように、搬送周波数Ｆ２のＣＣにおける測定ギャップにおいて、周波数Ｆ４及びＦ５における測定を行うように構成されている。
【００４５】
さらに、移動局ＵＥが、搬送周波数Ｆ１乃至Ｆ３のキャリアを用いたＣＡを行っている場合に、「ＭｅａｓＣｏｎｆｉｇ」によって測定対象の周波数として「Ｆ４」及び「Ｆ５」が指定され、「ＭｅａｓＣｏｎｆｉｇ」によって搬送周波数Ｆ２及びＦ３のＣＣにおいて測定ギャップを設定すべきであると指定された場合（すなわち、「ＭｅａｓＧａｐＣｏｎｆｉｇＬｉｓｔ-ｒ１０」内に「ｃｃ-ｉｄ＝Ｆ２」及び「ｃｃ-ｉｄ＝Ｆ３」が設定されている場合）には、測定部２２は、図１０に示すように、搬送周波数Ｆ２及びＦ３のＣＣにおける測定ギャップにおいて、周波数Ｆ４及びＦ５における測定を行うように構成されている。
【００４６】
ここで、測定部２２は、ＣＡ対象のＣＣから特定のＣＣが削除された場合には、かかる特定のＣＣに適用されていた測定ギャップについては暗示的に解除するように構成されていてもよい。
【００４７】
送信部２３は、上述の測定結果が「ＭｅａｓＣｏｎｆｉｇ」によって指定された報告条件を満たした場合、無線基地局ｅＮＢに対して、かかる測定結果を含む「Ｍｅａｓｕｒｅｍｅｎｔ  Ｒｅｐｏｒｔ」を送信するように構成されている。
（本発明の第１の実施形態に係る移動通信システムの動作）
図１１を参照して、本発明の第１の実施形態に係る移動通信システムの動作について、具体的には、本実施形態に係る移動局ＵＥの動作について説明する。
【００４８】
図１１に示すように、移動局ＵＥは、ステップＳ１０１において、無線基地局ｅＮＢから「ＭｅａｓＣｏｎｆｉｇ」を受信すると、ステップＳ１０２において、かかる「ＭｅａｓＣｏｎｆｉｇ」内に、「ＭｅａｓＧａｐＣｏｎｆｉｇＬｉｓｔ-ｒ１０」のどちらが含まれているかについて判定する。
【００４９】
移動局ＵＥは、「ＭｅａｓＧａｐＣｏｎｆｉｇ」が含まれていると判定した場合には、ステップＳ１０３において、通信中の単一のＣＣにおいて、「ＭｅａｓＧａｐＣｏｎｆｉｇ」によって指定された測定ギャップの設定或いは解除を行う。
【００５０】
移動局ＵＥは、「ＭｅａｓＧａｐＣｏｎｆｉｇＬｉｓｔ-ｒ１０」が含まれていると判定した場合には、ステップＳ１０４において、「ＭｅａｓＧａｐＣｏｎｆｉｇＬｉｓｔ-ｒ１０」内の「ｃｃ-ｉｄ」によって指定されているＣＣにおいて、「ＭｅａｓＧａｐＣｏｎｆｉｇ」によって指定された測定ギャップの設定或いは解除を行う。
（本発明の第１の実施形態に係る移動通信システムの作用効果）
本実施形態に係る移動通信システムによれば、「ＭｅａｓＧａｐＣｏｎｆｉｇＬｉｓｔ-ｒ１０」内の「ｃｃ-ｉｄ」と「ＭｅａｓＧａｐＣｏｎｆｉｇ」との組み合わせによって、ＣＡを行っている移動局ＵＥに対して、どのＣＣに対して測定ギャップを設定すべきかについて指定することができる。
【００５１】
以上に述べた本実施形態の特徴は、以下のように表現されていてもよい。
【００５２】
本実施形態の第１の特徴は、移動通信方法であって、移動局ＵＥが、無線基地局ｅＮＢとの間で、搬送波周波数が異なる複数のＣＣ（キャリア）を用いた通信（ＣＡ）を開始する工程と、無線基地局ｅＮＢが、移動局ＵＥに対して、所定ＣＣと所定測定ギャップとの組み合わせを含む「ＭｅａｓＣｏｎｆｉｇ（測定構成情報）」を送信する工程と、移動局ＵＥが、所定ＣＣにおける所定測定ギャップにおいて、測定対象の周波数における測定を行う工程とを有することを要旨とする。
【００５３】
本実施形態の第２の特徴は、無線基地局ｅＮＢであって、移動局ＵＥが、無線基地局ｅＮＢとの間で、搬送波周波数が異なる複数のＣＣを用いた通信（ＣＡ）を行っている場合に、移動局ＵＥに対して、所定キャリアと所定測定ギャップとの組み合わせを含む「ＭｅａｓＣｏｎｆｉｇ」を送信するように構成されている送信部１１を具備することを要旨とする。
【００５４】
本実施形態の第３の特徴は、移動局ＵＥであって、無線基地局ｅＮＢとの間で、搬送波周波数が異なる複数のＣＣを用いた通信（ＣＡ）を行っている場合で、かつ、無線基地局ｅＮＢから、所定キャリアと所定測定ギャップとの組み合わせを含む「ＭｅａｓＣｏｎｆｉｇ」を受信した場合に、所定キャリアにおける所定測定ギャップにおいて、測定対象の周波数における測定を行うように構成されている測定部２２を具備することを要旨とする。
【００５５】
なお、上述の移動局ＵＥ及び無線基地局ｅＮＢの動作は、ハードウェアによって実施されてもよいし、プロセッサによって実行されるソフトウェアモジュールによって実施されてもよいし、両者の組み合わせによって実施されてもよい。
【００５６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ｅＮＢ内に設けられていてもよい。また、かかる記憶媒体及びプロセッサは、ディスクリートコンポーネントとして移動局ＵＥ及び無線基地局ｅＮＢ内に設けられていてもよい。
【００５８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００５９】
ＵＥ…移動局
ｅＮＢ…無線基地局
１１、２３…送信部
１２、２１…受信部
１３…制御部
２２…測定部
【図１】
2011166387.tif 000003
【図２】
2011166387.tif 000004
【図３】
2011166387.tif 000005
【図４】
2011166387.tif 000006
【図５】
2011166387.tif 000007
【図６】
2011166387.tif 000008
【図７】
2011166387.tif 000009
【図８】
2011166387.tif 000010
【図９】
2011166387.tif 000011
【図１０】
2011166387.tif 000012
【図１１】
2011166387.tif 000013
【図１２】
2011166387.tif 000014